(57)【要約】 【課題】屋内の間仕切りを設置するための間仕切り装置を、簡単な構造で安価に提供できると共に、設置作業や撤去作業を容易にする。【解決手段】蛇腹状に折り畳み可能に形成したシート部材１と、折り畳み状態のシート部材１の上方端縁近傍を貫通する紐体３１、及び紐体の一方端に設けた巻取機能を備えた紐収納部３２、及び紐体他方端に設けた壁面連結部３３を備えたガイド部材３で構成し、紐収納部側を間仕切り範囲ａの一方の端面（柱面・壁面）ｂに固定し、紐体を伸長して他方端面（柱面・壁面）ｃに紐体先端を適宜な手段（鉤体３３と受け鉤Ａの掛け止め）で固定すると、紐体を屋内に架設することとなり、蛇腹状のシート部材を伸長すると、シート部材による間仕切りが実現する。【選択図】図２
2010196400.tif 000002
【特許請求の範囲】
【請求項１】
蛇腹状に折り畳み可能に形成したシート部材と、折り畳み状態のシート部材の上方端縁近傍を貫通する紐体、及び紐体の一方端に設けた巻取機能を備えた紐収納部、及び紐体他方端に設けた壁面連結部を備えたガイド部材で構成したことを特徴とする間仕切り装置。
【請求項２】
紐収納部に巻取付勢機能を備えさせてなると共に、壁面連結部がシート部材に形成した紐体の挿通孔を通り抜けできない構造とした請求項１記載の間仕切り装置。
【請求項３】
シート部材の一方の端面を接着した壁面装着板を設けると共に、前記壁面装着板に紐収納部を設けてなる請求項１又は２記載の間仕切り装置。
【請求項４】
壁面装着板に連続する背面板及び外面板を備えてボックス体に形成すると共に、前記ボックス体内にシート部材を収納し、外面板を開閉自在に背面板に蝶結して、全体をユニット化してなる請求項３記載の間仕切り装置。
【請求項５】
シート部材の下縁適宜箇所に、設置床面と当接して低抵抗で摺動可能とした摺動部を設けてなる請求項１乃至４記載の何れかの間仕切り装置。
【発明の詳細な説明】
【技術分野】
【０００１】
本発明は、屋内の一部を仕切ったり、隠蔽する間仕切り装置に関するものである。
【背景技術】
【０００２】
屋内の間仕切り構造は、必要に応じて間仕切りを行い、また間仕切りを解消して開口部を形成するもので、間仕切り壁を折り戸や引き戸で構成される間仕切り装置（特許文献１，２）の他に、所謂アコーディオンカーテンと称されるシートカーテンが知られている（特許文献３）。
【先行技術文献】
【特許文献】
【０００３】
【特許文献１】特開平８−１４４６２２号公報図１。
【特許文献２】特開２００６−２８８０９号公報図１。
【特許文献３】特開２００１−２４５７８０号公報図１。
【発明の概要】
【発明が解決しようとする課題】
【０００４】
上記した間仕切り装置は、折り戸や引き戸の場合には所定のガイドレールを天井及び床面に配置する必要があり、シートカーテンの場合には天井に配置した吊下げレール又は吊下げバーが必要である。即ち従前装置では、仕切り部材（折り戸、引き戸、シートカーテン）を当該間仕切り範囲に位置させるためのガイド部材が必要であり、且つ前記ガイド部材は天井や床に固定しておく必要がある。
【０００５】
このように従前の間仕切り装置では、屋内設置に際してはガイド部材を天井や床面に構築する必要があり、当然設置作業は煩雑となる。
【０００６】
また一旦ガイド部材を天井や床面に設置してしまうと、後に当該間仕切りが不要となった場合、仕切り部材の除去ばかりではなく、このガイド部材をも除去する必要があり、間仕切り装置除去時のリフォーム作業が面倒である。
【０００７】
そこで本発明は、設置作業並びに撤去作業を容易にした新規な間仕切り装置を提案したものである。
【課題を解決するための手段】
【０００８】
本発明（請求項１）に係る間仕切り装置は、蛇腹状に折り畳み可能に形成したシート部材と、折り畳み状態のシート部材の上方端縁近傍を貫通する紐体、及び紐体の一方端に設けた巻取機能を備えた紐収納部、及び紐体他方端に設けた壁面連結部を備えたガイド部材で構成したことを特徴とするものである。
【０００９】
而して紐収納部を間仕切り範囲の一方の端面（柱面・壁面）に固定し、紐体を伸長して他方端面（柱面・壁面）に紐体先端を適宜な手段で固定すると、紐体を屋内に架設することとなり、蛇腹状のシート部材を伸長することで、シート部材が自立し或いは吊下げられることで、当該間仕切り範囲をシート部材で閉ざして間仕切りを実現するものである。
【００１０】
また本発明（請求項２）に係る間仕切り装置は、紐収納部に巻取付勢機能を備えさせてなると共に、壁面連結部がシート部材に形成した紐体の挿通孔を通り抜けできない構造としたもので、間仕切り状態からシート部材収納状態（折り畳み状態）と移行する際に、壁面連結部を壁面等からの固定を解除すると、紐収納部の巻取付勢機能によって紐体の巻き取りがなされると共にシート部材も折り畳み収納されることになる。
【００１１】
また本発明（請求項３）に係る間仕切り装置は、特に前記間仕切り装置において、シート部材の一方の端面を接着した壁面装着板を設けると共に、前記壁面装着板に紐収納部を設けてなるもので、壁面装着板を間仕切り範囲の一方の端面（柱面・壁面）に固定することで、装置の設置作業がより簡便になる。
【００１２】
更に本発明（請求項４）に係る間仕切り装置は、壁面装着板に連続する背面板及び外面板を備えてボックス体に形成すると共に、前記ボックス体内にシート部材を収納し、外面板を開閉自在に背面板に蝶結して、全体をユニット化してなるもので、壁面装着板を間仕切り範囲の一方の端面（柱面・壁面）に固定し、間仕切り使用時には外面板を開扉して紐体とシート部材を引き出し、不使用時にはボックス体に収納しておくことができる。
【００１３】
更に本発明（請求項５）に係る間仕切り装置は、シート部材の下縁適宜箇所に、設置床面と当接して低抵抗で摺動可能とした摺動部を設けてなるもので、シート部材の開閉動作に際して、摺動部が床面を滑って移動することになり、シート部材の下縁が擦り切れる虞をなくしたものである。
【発明の効果】
【００１４】
本発明の構成は上記のとおり、仕切り部材として蛇腹状のシート部材を採用し、ガイド部材として巻取収納できる紐体を採用したものであるから、紐収納部を一方端面に固定し、紐体先端を他方端面に固定することでガイド部材の架設がなされ、簡便な作業で間仕切りを実現できるもので、更に固定個所・固定部材が非常に少ないので、撤去作業も容易である。
【図面の簡単な説明】
【００１５】
【図１】本発明の実施形態の全体斜視図（間仕切り収納状態）。
【図２】同図（間仕切り状態）
【図３】同正面図。
【図４】同要部斜視図。
【発明を実施するための形態】
【００１６】
次に本発明の実施の形態について説明する。実施形態に示した間仕切り装置は、シート部材１と、ボックス体２と、ガイド部材３で構成されるものである。
【００１７】
シート部材１は、表面をビニール被覆した厚紙製や樹脂板製或いは布製で、蛇腹状に折曲して折り畳み自在としたもので、出来れば自立可能な強度を備え、１枚の連続体或いは適宜分割され且つ連結自在とする構造などを採用できるもので、結果的に間仕切り壁として機能すれば、その材質や強度は任意である。
【００１８】
また上方個所には後述する紐体３１が、折り曲げ形態で貫通するための挿通孔１１を設けてなり、下縁には、樹脂製で設置床面と当接して低抵抗で摺動可能とした摺動部１２を適宜間隔で、且つ折り畳み時に位置がずれるように設けたものである。
【００１９】
ボックス体２は、壁面装着板２１と背面板２２と外面板２３を備え、前方開口のコの字状の箱型であり、高さ及び幅等は、前記シート部材１を折り畳んだ状態で収納できる大きさとしたもので、特に外面板２３は、開閉自在に背面板２２に蝶着したものである。
【００２０】
ガイド部材３は、紐体３１と、紐収納部３２と、壁面連結部３３を備えたもので、紐体３１は、金属線、合成繊維単線または撚り線など所定の強度を有するものを使用し、基端側は紐収納部３２に連結し、先端側には壁面連結部３３を設けたものである。
【００２１】
紐収納部３２は、壁面装着板２１に固定したもので、紐体３１を巻取方向に付勢する機能を備えさせてなり、必要に応じて巻き取りロック機構を有するものであり、その構造は巻尺等で周知のものである。また巻き取り部（巻き取りロールを備えている部分）３２１の巻き取り方向や巻き取り口位置によって、挿通孔１１を貫通する紐体３１がスムーズに伸縮できない場合には、壁面装着板２１に紐体３１のガイドローラ３２２を設けておくと良い。
【００２２】
また紐体３１の先端には壁面連結部として鉤体３３を結着してなるもので、この実施形態装置を採用する場合には、前記鉤体３３と対応する受け鉤体Ａを用意しておく。
【００２３】
前記の間仕切り装置は、間仕切りしようとする範囲（空間ａ）における一方の端面（柱面・壁面）ｂに、壁面装着板２１を釘着や鋲止めして固定し、屋内に設置するものである。また空間ａの他方端面（柱面・壁面）ｃの所定位置には、予め受け鉤Ａを固定しておく。
【００２４】
而して、設置終了後は、外面板２３を開扉して紐体３１とシート部材１を引き出し、紐体３１の先端の鉤体３３を対面する受け鉤Ａに掛け止めすると、紐体３１が空間ａに架設されることになり、前記の紐体３１に添って引き出されたシート部材１が、蛇腹折り畳み状態から伸長して山折れ状態となって空間ａを塞ぎ、間仕切り壁となるものである。
【００２５】
また同空間ａを開放したい場合には、鉤体３３を外し、紐体３１を紐収納部３２に巻き取らせ、シート部材１を折り畳み、外面板２３を閉じることで、見苦しくすることなく空間ａが開放されるものである。
【００２６】
従って従前の間仕切り装置のようにレール部材の設置を必要とせずに、壁面装着板２１と受け鉤Ａを所定の壁面に固定するだけで間仕切り装置の設置が可能となるものである。
【００２７】
尚シート部材１の先部（他方端面ｃ側）と、他方端面ｃに、磁石による吸着構造や、フック等の係止構造を設けて、シート部材１が不測の外力を受けても空間ａの閉塞を維持するようにしても良い。
【符号の説明】
【００２８】
１        シート部材
１１      挿通孔
１２      摺動部
２        ボックス体
２１      壁面装着板
２２      背面板
２３      外面板
３        ガイド部材
３１      紐体
３２      紐収納部
３２１    巻き取り部
３２２    ガイドローラ
３２      壁面連結部（鉤体）
Ａ        受け鉤
【図１】
2010196400.tif 000003
【図２】
2010196400.tif 000004
【図３】
2010196400.tif 000005
【図４】
2010196400.tif 000006